【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）における周波数トラッキングのための方法であって、
ワイヤレスチャネルの１つまたは複数の特性に基づいて、前記ＵＥの周波数トラッキングループ（ＦＴＬ）のプルインレンジを超える周波数の変化を検出することと、
周波数の前記変化が検出されたことに応答して、トラッキング復元周波数を識別することと、ここにおいて、前記トラッキング復元周波数が、周波数仮定のセットから識別され、前記ＵＥによって受信された物理ブロードキャストチャネル（ＰＢＣＨ）の成功した復号に基づき、ここにおいて、周波数仮定の前記セットにおける周波数仮定の数、および周波数仮定の前記セットにおける周波数仮定間の間隔が、前記ＵＥの動作状態に基づく、
前記トラッキング復元周波数を用いて前記ＦＴＬを更新することと
を備える、方法。
【請求項２】
周波数の前記変化を検出することは、周波数の前記変化が、それぞれのしきい値を超えたことを検出することを含む、請求項１に記載の方法。
【請求項３】
周波数の変化を検出することは、周波数の前記変化が、前記ＵＥの前記ＦＴＬの前記プルインレンジを超えたことを示す２つ以上の特性を検出することを含み、２つ以上の特性を検出することは、前記２つ以上の特性の各々が、それぞれのしきい値を超えたことを検出することを含む、請求項１に記載の方法。
【請求項４】
前記１つまたは複数の特性が、
前記ＦＴＬによって測定された瞬時周波数誤差変化、
前記ＵＥが２つのスタッガード基準シンボルからのチャネル推定値を組み合わせたときのデスタッガードチャネル推定値のイメージピーク、
同期シーケンスによって検出された周波数誤差、または
基準信号間の相関もしくは時間的に離れた同期信号に起因する位相変化、あるいはそれらの任意の組合せ
を含む、請求項１に記載の方法。
【請求項５】
トラッキング復元周波数を識別することは、
前記ＵＥの動作状態に基づいて、周波数仮定の前記セットを識別することと、
ＰＢＣＨ復号がそれについて成功した前記セットから、１つまたは複数の周波数仮定を識別することと、
前記１つまたは複数の周波数仮定から周波数仮定を選択することと、ここにおいて、選択された前記周波数仮定が、前記トラッキング復元周波数として使用される、
を含む、請求項１に記載の方法。
【請求項６】
前記ＵＥの前記動作状態が、
オフラインアイドルモード間欠受信（ＤＲＸ）、
オンラインアイドルモードＤＲＸまたは接続モード、
セルハンドオーバ、あるいは
セル再選択
のうちの１つである、請求項１に記載の方法。
【請求項７】
周波数仮定を選択することが、
前記１つまたは複数の周波数仮定の各々のためのエネルギーメトリックを決定することと、
前記１つまたは複数の周波数仮定のうちの前記周波数仮定として、前記１つまたは複数の周波数仮定の各々のための前記決定されたエネルギーメトリックの最大エネルギーメトリックをもつ１つを選択することと
を含む、請求項５に記載の方法。
【請求項８】
周波数仮定を選択することが、
前記１つまたは複数の周波数仮定の各々のためのエネルギーメトリックを決定することと、
前記１つまたは複数の周波数仮定のうちの２つまたはそれ以上の周波数仮定が、実質的に同様であるエネルギーメトリックを有するとき、前記周波数仮定として、前記２つまたはそれ以上の周波数仮定のうちの最も小さい絶対周波数をもつ１つの周波数仮定を選択することと
を含む、請求項５に記載の方法。
【請求項９】
ＰＢＣＨ復号は、復号された前記ＰＢＣＨが巡回冗長検査に合格したときに成功である、請求項５に記載の方法。
【請求項１０】
トラッキング復元周波数を識別することが、
前記ＵＥの動作状態のための周波数仮定の前記セットを識別することと、
前記セットからの前記周波数仮定のいずれも、成功したＰＢＣＨ復号をもたらさないと決定することと、
前記トラッキング復元周波数として、ゼロ（０）ヘルツを割り当てることと
を含む、請求項１に記載の方法。
【請求項１１】
前記ＵＥは、周波数の前記変化が検出されたとき、オフラインアイドルモード間欠受信（ＤＲＸ）スリープ中であり、前記方法は、
前記ＦＴＬをそれの現在の状態においてフリーズさせることと、
オフラインアイドルモードＤＲＸスリープから前記ＵＥを起動し、その後前記ＵＥをスリープに戻すことと、
オンラインアイドルモードＤＲＸにおいて前記ＵＥを起動することと、
前記オンラインアイドルモードＤＲＸにおいて、前記トラッキング復元周波数の前記識別と、前記トラッキング復元周波数を用いて前記ＦＴＬを更新することとを実行することと
をさらに備える、請求項１に記載の方法。
【請求項１２】
前記ＵＥは、周波数の前記変化が検出されたとき、オンラインアイドルモード間欠受信（ＤＲＸ）スリープ中である、または、
前記ＵＥは、周波数の前記変化が検出されたとき、セルハンドオーバ動作中である、請求項１に記載の方法。
【請求項１３】
前記ＵＥは、周波数の前記変化が検出されたとき、セル再選択動作中であり、前記方法は、
周波数の前記検出された変化として、ネイバーセルのＰＢＣＨ復号における失敗を識別することと、
前記ネイバーセルの前記失敗したＰＢＣＨ復号において使用された前記周波数仮定を除いた周波数仮定のセットを識別することと、
前記ネイバーセルのＰＢＣＨ復号がそれについて成功した前記セットから、１つまたは複数の周波数仮定を識別することと、
前記１つまたは複数の周波数仮定から周波数仮定を選択することと、ここにおいて、前記周波数仮定が、前記トラッキング復元周波数として使用され、ここにおいて、前記トラッキング復元周波数を用いて前記ＦＴＬを更新することは、前記ＵＥが前記ネイバーセルに対して再選択した後に、前記トラッキング復元周波数を用いて前記ＦＴＬを初期化することを含む、
をさらに備える、請求項１に記載の方法。
【請求項１４】
ユーザ機器（ＵＥ）における周波数トラッキングのための装置であって、
前記ＵＥの周波数トラッキングループ（ＦＴＬ）のプルインレンジを超える周波数の変化を検出するための手段と、
周波数の前記変化が検出されたことに応答して、トラッキング復元周波数を識別するための手段と、ここにおいて、前記トラッキング復元周波数が、周波数仮定のセットから識別され、前記ＵＥによって受信された物理ブロードキャストチャネル（ＰＢＣＨ）の成功した復号に基づき、ここにおいて、周波数仮定の前記セットにおける周波数仮定の数、および周波数仮定の前記セットにおける周波数仮定間の間隔が、前記ＵＥの動作状態に基づく、
前記トラッキング復元周波数を用いて前記ＦＴＬを更新するための手段と
を備える、装置。
【請求項１５】
ユーザ機器（ＵＥ）における周波数トラッキングのためのコンピュータ実行可能コードを記憶するコンピュータ可読媒体であって、
前記ＵＥの周波数トラッキングループ（ＦＴＬ）のプルインレンジを超える周波数の変化を検出するためのコードと、
周波数の前記変化が検出されたことに応答して、トラッキング復元周波数を識別するためのコードと、ここにおいて、前記トラッキング復元周波数が、周波数仮定のセットから識別され、前記ＵＥによって受信された物理ブロードキャストチャネル（ＰＢＣＨ）の成功した復号に基づき、ここにおいて、周波数仮定の前記セットにおける周波数仮定の数、および周波数仮定の前記セットにおける周波数仮定間の間隔が、前記ＵＥの動作状態に基づく、
前記トラッキング復元周波数を用いて前記ＦＴＬを更新するためのコードと
を備える、コンピュータ可読媒体。